(57)【要約】【課題】床下空間の除湿用に設置される床下除湿機において、ドレン排水管の設置において作業ミスがあったとしても床下空間の除湿における問題を引き起こさない様にする。【解決手段】床下除湿装置１は、正面から背面へ向かって伸び、背面から一部飛び出す様な大きさで、正面側が高く、背面側が低くなった傾斜面とされた底面２１を備えるドレンパン２０によってドレンがドレン排出装置３０によるドレン排出位置へと集まる様にされ、ドレンポンプ３１は、除湿中常時運転で制御し、ドレン排出口３３には、ゴム製のエルボ管３４、逆止弁４０及び延長管３５が接続される。逆止弁４０は、弁体として中実で表面粗仕上げ状態の研削製プラスチック球４２を用いる。【選択図】  図２
2010253427.tif 000002
【特許請求の範囲】
【請求項１】
本体ケーシングの内部に、プロペラファン及びファンモータと、エバポレーションアッセンブリ及びコンデンサアッセンブリと、コンプレッサとを収納すると共に、本体ケーシングの底面下に配置されるドレンパンと、このドレンパンで受けたドレンを排出するためのドレン排出装置とを備え、建物の床下に設置される床下除湿装置であって、以下の構成をも備えたことを特徴とする床下除湿装置。
（１）前記ドレンパンは、前記エバポレーションアッセンブリ及びコンデンサアッセンブリの直下をカバーする様に本体ケーシングの正面から背面へ向かって伸び、さらに、背面から一部飛び出す様な大きさとされると共に、該ドレンパンの底は、正面側が高く、背面側が低くなった傾斜面とされ、受け止めたドレンが背面のドレン排出装置によるドレン排出位置へと集まる様に構成されていること。
（２）前記ドレン排出装置は、真下に伸びるドレン吸入口と側方へ伸びるドレン排出口とを備えたドレンポンプと、ドレン排出口に接続され、ドレンを上方へと誘導するエルボ管と、該エルボ管の先端に装着される逆止弁と、該逆止弁からさらに上方へと延長された延長管とを備えていること。
（３）前記逆止弁は、筒状の本体と、弁体としてのプラスチック球と、該プラスチック球の流出を防止する簀の子板とから構成され、該プラスチック球は中実で水よりも比重が大きいものとされていること。
【請求項２】
さらに、以下の構成をも備えていることを特徴とする請求項１記載の床下除湿装置。
（４）前記エルボ管は、ゴム製であること。
（５）前記逆止弁の本体は、上端から下端に向かって順番に、大径部、中径部、テーパ部、オリフィス部、逆テーパ部、細径部と順次内径が変化する貫通孔が形成され、下部外周は、前記ゴム製のエルボ管を外嵌めするための返し付きの口金部とされていること。
（６）前記延長管は、下端が前記逆止弁の大径部に嵌合する外径とされており、組み付け状態において、前記簀の子板を前記大径部と前記中径部との切り替わり部分の段部に挟み付けた状態とする様に構成されていること。
（７）前記プラスチック球には、研削加工によって球体とした粗仕上げ状態のプラスチック球を用いること。
【請求項３】
さらに、以下の構成をも備えていることを特徴とする請求項１又は２記載の床下除湿装置。
（８）前記ファンを駆動するファンモータ、前記ドレンポンプを駆動するポンプモータ及びコンプレッサ７を、所定温度以上では、ドレンの水位に関係なく全てを運転する制御を実行する制御回路を備えていること。
【請求項４】
さらに、以下の構成をも備えていることを特徴とする請求項３記載の床下除湿装置。
（９）前記制御回路は、サーミスタによって構成されていること。
【発明の詳細な説明】
【技術分野】
【０００１】
本発明は、住宅の床下空間を除湿するための装置に係り、特に、除湿時に発生するドレンを的確に排出することのできる装置に関する。
【背景技術】
【０００２】
従来、住宅の床下空間の湿度を低くすることによって住居の傷みを少なくし、耐久性のある良い環境にするための提案がなされている（特許文献１）。この特許文献１は、床下空間３４の湿気の多い北側や浴室、トイレ、洗面所、台所の下などに除湿装置本体Ａ１を設置し、除湿装置で発生するドレン水を専用の排出ホースＡ２を設置して屋外へと排出する設備を提案している（図６（Ａ）参照）。
【０００３】
ここで、特許文献２に示される様に、浴室の床下には、浴槽１１９及び洗い場２０９の排水を排出するための排水管２１５が設置されている（図６（Ｂ）参照）。この特許文献２は、「ドレン排水の配管工事が不要なドレン送出装置を提供する。」という課題に対し、「ドレン排出装置１０は、給湯器１のドレン受け９５からドレンを排出するドレン排水管１１が、風呂給湯配管１２１とともに浴槽１１９に導かれているとともに、ドレン排水管１１の先端が浴槽に取り付けられた循環アダプター１３に取り付けられている。ドレン排水管１１の末端は浴室の床に向けて開放されており、ドレンは浴室の床から排水管に排水することができる。」という課題解決手段を提案するものである（同文献の要約書参照）。
【特許文献１】特開平１１−５７３８２号公報（図４，９）
【特許文献２】特開２００３−１５６２５６号公報（要約、図２，４）
【発明の概要】
【発明が解決しようとする課題】
【０００４】
上述の様に、本来は、床下除湿装置からのドレン排水は、専用のホースで屋外へと排出するべきものである（特許文献１）。しかし、現場施工業者は、ドレン排水のための配管工事を簡略化しようとする傾向にあり、特許文献２が提案している様に、元々生活排水用の配管があるのであれば、これを利用して空調機器やガス器具等からのドレン排水も排出しようとすることが予測される。
【０００５】
このため、床下除湿装置の設置工事において、現場施工業者が、床下除湿装置のドレン排水を専用ホースによらず、浴室等から敷設されている生活排水用の配管に接続してしまう場合があった。
【０００６】
そして、この様な接続がなされると、床下除湿装置のドレン排水管へと生活排水が逆流してしまい、床下に排水が溢れ出すという問題が生じるおそれがあった。
【０００７】
そこで、本発明は、床下空間の除湿用に設置される床下除湿機において、ドレン排水管の設置において作業ミスがあったとしても床下空間の除湿における問題を引き起こすことがない様にすることを目的とする。
【課題を解決するための手段】
【０００８】
上記目的を達成するためになされた本発明の床下除湿装置は、本体ケーシングの内部に、プロペラファン及びファンモータと、エバポレーションアッセンブリ及びコンデンサアッセンブリと、コンプレッサとを収納すると共に、本体ケーシングの底面下に配置されるドレンパンと、このドレンパンで受けたドレンを排出するためのドレン排出装置とを備え、建物の床下に設置される床下除湿装置であって、以下の構成をも備えたことを特徴とする。
【０００９】
（１）前記ドレンパンは、前記エバポレーションアッセンブリ及びコンデンサアッセンブリの直下をカバーする様に本体ケーシングの正面から背面へ向かって伸び、さらに、背面から一部飛び出す様な大きさとされると共に、該ドレンパンの底は、正面側が高く、背面側が低くなった傾斜面とされ、受け止めたドレンが背面のドレン排出装置によるドレン排出位置へと集まる様に構成されていること。
【００１０】
（２）前記ドレン排出装置は、真下に伸びるドレン吸入口と側方へ伸びるドレン排出口とを備えたドレンポンプと、ドレン排出口に接続され、ドレンを上方へと誘導するエルボ管と、該エルボ管の先端に装着される逆止弁と、該逆止弁からさらに上方へと延長された延長管とを備えていること。
【００１１】
（３）前記逆止弁は、筒状の本体と、弁体としてのプラスチック球と、該プラスチック球の流出を防止する簀の子板とから構成され、該プラスチック球は中実で水よりも比重が大きいものとされていること。
【００１２】
本発明の床下除湿装置によれば、ドレンポンプが駆動され、除湿によって発生するドレン水の排出が実施されるとき、逆止弁のプラスチック球は、ポンプの吐出圧によって押し上げられ、ドレン水は延長管を介して外部へと排出される。この延長管が生活排水用の排水管に接続された場合において、生活排水が放出されて延長管内で逆流が起こった場合、プラスチック球に対して加わるポンプ吐出圧よりも逆流水の圧力が勝っているならば、プラスチック球はテーパ部に押し付けられて弁を閉じた状態となる。従って、シンク等に溜めた水を居住者が一気に放出した瞬間は逆止弁が閉じて逆流水の床下への漏洩を防止する。
【００１３】
この種の生活排水の放出は一過性のものであるから、再びポンプ吐出圧が延長管内の水圧よりも高くなってドレンの排水が再開する。これにより、除湿運転によって発生するドレンは的確に屋外へと排出される。
【００１４】
ここで、本発明の床下除湿装置は、さらに、以下の構成をも備えることが望ましい。
【００１５】
（４）前記エルボ管は、ゴム製であること。
【００１６】
（５）前記逆止弁の本体は、上端から下端に向かって順番に、大径部、中径部、テーパ部、オリフィス部、逆テーパ部、細径部と順次内径が変化する貫通孔が形成され、下部外周は、前記ゴム製のエルボ管を外嵌めするための返し付きの口金部とされていること。
【００１７】
（６）前記延長管は、下端が前記逆止弁の大径部に嵌合する外径とされており、組み付け状態において、前記簀の子板を前記大径部と前記中径部との切り替わり部分の段部に挟み付けた状態とする様に構成されていること。
【００１８】
（７）前記プラスチック球には、研削加工によって球体とした粗仕上げ状態のプラスチック球を用いること。
【００１９】
プラスチック球の表面が粗し上げのままとされていることから、ドレン排出中は、簀の子板とテーパ部とで囲まれた空間内でプラスチック球が回転し易く、ドレン中のゴミ・ホコリなどは、この回転によって付着を阻止される。この結果、逆止弁の動作を永く安定的に維持することが可能となっている。
【００２０】
また、これら本発明の床下除湿装置は、さらに、以下の構成をも備えることができる。
【００２１】
（８）前記ファンを駆動するファンモータ、前記ドレンポンプを駆動するポンプモータ及びコンプレッサ７を、所定温度以上では、ドレンの水位に関係なく全てを運転する制御を実行する制御回路を備えていること。
【００２２】
この場合、本発明の床下除湿装置は、さらに、以下の構成をも備えることができる。
【００２３】
（９）前記制御回路は、サーミスタによって構成されていること。
【００２４】
ドレンの水位に関係なくポンプを駆動することで、実際にドレンの排出が実行されていないときに生活排水の一過性放出による逆流が生じたとき、プラスチック球が衝撃で浮き上がって漏れ出した生活排水は、直ちにドレンポンプで押し戻される。この結果、プラスチック球が着座して逆止弁として機能するまでの漏洩水に対しても、これがドレンパンから溢れ出してしまう問題を解決することができる。
【発明の効果】
【００２５】
本発明によれば、床下空間の除湿用に設置される床下除湿機において、ドレン排水管の設置において作業ミスがあったとしても床下空間の除湿における問題を引き起こすことがない。
【図面の簡単な説明】
【００２６】
【図１】実施例１の床下除湿装置を示し、（Ａ）は内部構造を示す正面図、（Ｂ）は内部構造を示す平面図、（Ｃ）は左側面図である。
【図２】実施例１の床下除湿装置のドレン排出機構を示し、（Ａ）は平面図、（Ｂ）は左側面図である。
【図３】実施例１の床下除湿装置のドレン排出機構の要部を示す断面図及び平面図である。
【図４】実施例１の床下除湿装置の運転制御回路の回路図である。
【図５】実施例１の床下除湿装置の運転制御の処理手順を示すフローチャートである。
【図６】従来技術の説明図である。
【発明を実施するための形態】
【００２７】
本発明を実施するための形態は、ドレン排出管を専用のホースに接続して屋外へとドレンの排出を行う様にした床下除湿装置において、仮に、誤って、生活排水用の排水管にドレン排出管が接続されたとしても、生活排水が床下へと漏洩することのない様にしたものであって、具体的には、以下に、実施例で説明する。
【実施例１】
【００２８】
実施例１の床下除湿装置１は、図１に示す様に、本体ケーシング２の内部に、プロペラファン３及びファンモータ４と、エバポレーションアッセンブリ５及びコンデンサアッセンブリ６と、コンプレッサ７と、制御回路１０とを収納すると共に、本体ケーシング２の底面下に配置されるドレンパン２０と、このドレンパン２０で受けたドレンを排出するためのドレン排出装置３０とを備えている。
【００２９】
ドレンパン２０は、図１，図２に示す様に、エバポレーションアッセンブリ５及びコンデンサアッセンブリ６の直下をカバーする様に本体ケーシング２の正面から背面へ向かって伸び、さらに、背面から一部飛び出す様な大きさとされている。また、ドレンパン２０の底２１は、正面側が高く、背面側が低くなった傾斜面とされ、受け止めたドレンが背面のドレン排出装置３０によるドレン排出位置へと集まる様に工夫されている。
【００３０】
図２に示す様に、ドレン排出装置３０の中心となるドレンポンプ３１は、真下に伸びるドレン吸入口３２と側方へ伸びるドレン排出口３３とを備えている。そして、ドレン排出口３３には、ゴム製のエルボ管３４が装着され、ドレンを上方へと誘導する様に構成されている。また、ゴムエルボ管３４の先端には逆止弁４０が装着され、さらに上方へと延長管３５が接続されている。
【００３１】
逆止弁４０は、図３に示す様に、筒状の本体４１と、プラスチック球４２と、簀の子板４３とから構成される。
【００３２】
本体４１は、プラスチック製の射出成形品で構成され、上端から下端に向かって順番に、大径部４１ａ、中径部４１ｂ、テーパ部４１ｃ、オリフィス部４１ｄ、逆テーパ部４１ｅ、細径部４１ｆと順次内径が変化する貫通孔が形成されている。また、本体４１の下部外周は、ゴム製エルボ管３４を外嵌めするための返し付きの口金部４４とされている。
【００３３】
プラスチック球４２は、内部の詰まった中実球体であって、表面は粗仕上げ状態のままのものが用いられる。即ち、射出成形品ではなく、研削加工によって球体としたプラスチック球を用いる。これは、表面に微細な傷が残ったままの状態とするためである。また、中実とするのは、プラスチック球４２はフロートの用に水に浮いてしまわないものとするためである。
【００３４】
簀の子板４３は、プラスチック製の円板４３ａに、プラスチック球４２の直径よりも小さい円形貫通孔４３ｂが複数個（本実施例では５個）形成されたものである。円板４３ａの直径は、本体４１の中径部４１ｂの直径よりも大きく、大径部４１ａの直径よりも小さくされている。
【００３５】
延長管３５は、下端が逆止弁４０の大径部４１ａに嵌合する外径とされており、組み付け状態において、簀の子板４３を大径部４１ａと中径部４１ｂとの切り替わり部分の段部に挟み付けた状態とする様に構成されている。
【００３６】
制御回路１０は、図４に示す様に、ファン３を駆動するファンモータ４、ドレンポンプ３１を駆動するポンプモータ３１ａ及びコンプレッサ７を、１０℃でＯＮとし、２．５℃でＯＦＦとする様に温度条件を設定したサーミスタによって運転・停止制御を実行する様に構成されている。
【００３７】
この制御回路１０による運転・停止制御は、図５に示す様に、外気温が１０℃より高いならば（Ｓ１０：ＮＯ）、除湿運転を実行し（Ｓ２０）、外気温が１０℃以下になったら（Ｓ１０：ＹＥＳ）、除湿運転を停止する（Ｓ３０）というソフトウェア的な制御によっても実行することができる。
【００３８】
いずれにしても、本実施例においては、除湿運転中は、ファンモータ４、ポンプモータ３１ａ及びコンプレッサ７が駆動状態となる構成であって、ドレンの水位によらず、ドレンポンプ３１を作動させることにより、水位センサが不要な構成とされている。
【００３９】
本実施例の床下除湿装置１は、除湿運転を実行すると、ドレンポンプ３１が駆動され、除湿によって発生するドレン水の排出が実施される。このとき、逆止弁４０のプラスチック球４２は、ポンプの吐出圧によって押し上げられ、ドレン水は延長管３５を介して外部へと排出される。
【００４０】
この延長管３５は、専用のドレン排水ホースを介して屋外へとドレン水を排出する様に設置することが推奨される。しかし、万一、現場において浴室やキッチン等の生活排水用の排水管に接続された場合において、生活排水が放出されて延長管３５内で逆流が起こった場合、プラスチック球４２に対して加わるポンプ吐出圧よりも逆流水の圧力が勝っているならば、プラスチック球４２はテーパ部４１ｃに押し付けられて弁を閉じた状態となる。従って、シンク等に溜めた水を居住者が一気に放出した瞬間は逆止弁４０が閉じて逆流水の床下への漏洩を防止する。
【００４１】
この種の生活排水の放出は一過性のものであるから、再びポンプ吐出圧が延長管３５内の水圧よりも高くなってドレンの排水が再開する。これにより、除湿運転によって発生するドレンは的確に屋外へと排出される。
【００４２】
そして、本実施例では、プラスチック球４２の表面が粗し上げのままとされていることから、ドレン排出中は、簀の子板４３とテーパ部４１ｃとで囲まれた空間内でプラスチック球４２が回転し易く、ドレン中のゴミ・ホコリなどは、この回転によって付着を阻止される。この結果、逆止弁４０の動作を永く安定的に維持することが可能となっている。
【００４３】
また、ドレンの水位に関係なくポンプを駆動することで、実際にドレンの排出が実行されていないときに生活排水の一過性放出による逆流が生じたとき、プラスチック球が衝撃で浮き上がって漏れ出した生活排水は、直ちにドレンポンプで押し戻される。この結果、プラスチック球が着座して逆止弁として機能するまでの漏洩水に対しても、これがドレンパンから溢れ出してしまう問題を解決することができる。
【００４４】
以上、本発明の一実施例について説明したが、本発明はこの実施例に限られるものではなく、その要旨を逸脱しない範囲内においてさらに種々の形態で実施することができる。
【産業上の利用可能性】
【００４５】
住宅の床下空間の除湿を行うことによる住宅の延命化等の目的において利用するのに好適なものであって、特に、浴室やキッチン等の生活排水用の配管が存在する床下空間に設置したときの配管の共有化が行われた場合においても、床下除湿の目的を的確に達成することのできる装置として好適なものである。
【符号の説明】
【００４６】
１・・・床下除湿装置
２・・・本体ケーシング
３・・・プロペラファン
４・・・ファンモータ
５・・・エバポレーションアッセンブリ
６・・・コンデンサアッセンブリ
７・・・コンプレッサ
１０・・・制御回路
２０・・・ドレンパン
２１・・・ドレンパンの底
３０・・・ドレン排出装置
３１・・・ドレンポンプ
３１ａ・・・ポンプモータ
３２・・・ドレン吸入口
３３・・・ドレン排出口
３４・・・ゴム製のエルボ管
３５・・・延長管
４０・・・逆止弁
４１・・・筒状の本体
４１ａ・・・大径部
４１ｂ・・・中径部
４１ｃ・・・テーパ部
４１ｄ・・・オリフィス部
４１ｅ・・・逆テーパ部
４１ｆ・・・細径部
４２・・・プラスチック球
４３・・・簀の子板
４３ａ・・・プラスチック製の円板
４３ｂ・・・円形貫通孔
４４・・・返し付きの口金部
【図１】
2010253427.tif 000003
【図２】
2010253427.tif 000004
【図３】
2010253427.tif 000005
【図４】
2010253427.tif 000006
【図５】
2010253427.tif 000007
【図６】
2010253427.tif 000008